(57)【要約】      （修正有）【課題】卓球など球技において、室内練習場や運動場等において散乱したボールを立ったままで効率よく多数集めて収容することが出来るボール収容具を提供する。【解決手段】収容部、中空状の杖部Ｓｔ、バネ、２つのバネ押え、棒、及び、紐Ｓからなる。収容部は底面が開口されて、収容部の下部のフレーム部Ｆには、紐穴が設けられており、紐Ｓの一端は、紐穴に通され、他端は棒の下端に接続される。棒は中空状の杖部Ｓｔの中に挿入されてなり、バネ押えは棒の外側で、杖の内側に取付けられ、バネは、バネ押え間に設置されてなる。バネ力により、紐Ｓの隣同士の距離がボール直径より狭くなる。【選択図】図１
0003178447.tif 000002
【実用新案登録請求の範囲】
【請求項１】
収容部、中空状の杖部、バネ（Ｋ）、バネ押え（Ｋ１）、バネ押え（Ｋ２）、棒、及び、紐（Ｓ１）〜紐（Ｓｎ）からなるボール収容具において、収容部は底面が開口されて開口部を形成してなり、収容部の下部のフレーム部には、紐穴（Ｐ１）と紐穴（Ｐ２）、紐穴（Ｑ１）と紐穴（Ｑ２）が相対応してｎ組設けられており、紐（Ｓ１）〜紐（Ｓｎ）は、相互に平行になるように、紐穴（Ｐ１）、紐穴（Ｑ１）、紐穴（Ｑ２）、紐穴（Ｐ２）に通されて、収容部と杖部は一体に結合され、棒は中空状の杖部の中に挿入されてなり、バネ押え（Ｋ１）は棒の外側に取付けられ、バネ押え（Ｋ２）は杖の内側に取付けられ、バネ（Ｋ）は、バネ押え（Ｋ１）とバネ押え（Ｋ２）の間に設置されてなり、紐（Ｓ１）〜紐（Ｓｎ）のそれぞれの両端側は紐穴（Ｐ１）と紐穴（Ｐ２）に通され、棒の下端に接続されて、バネ力により、紐（Ｓ１）〜紐（Ｓｎ）の隣同士の距離がボール直径より狭くなるように張られていることを特徴とするボール収容具。
【請求項２】
バネ押え（Ｋ２）を下方に押し下げることによって棒を下方に動かして、バネ（Ｋ）で与えられていた紐（Ｓ１）〜紐（Ｓｎ）を緩めて収容したボールを取り入れ口から排出することを特徴とする請求項１に記載されたボール収容具。
【請求項３】
収容部は上面が開口されて開口部を形成してなり、収容部は上面部にボール通過用に開口された網が設置されていることを特徴とする請求項１〜２の何れかに記載されたボール収容具。
【請求項４】
収容部が透明体からなることを特徴とする請求項１〜３の何れかに記載されたボール収容具。
【請求項５】
ｎ＝２であることを特徴とする請求項１〜４の何れかに記載されたボール収容具。
【請求項６】
紐（Ｓ１）〜紐（Ｓｎ）のそれぞれの両端側は紐穴（Ｐ１）と紐穴（Ｐ２）に通され、棒の下端に、接続具を介して接続されてなることを特徴とする請求項１〜５の何れかに記載されたボール収容具。
【請求項７】
杖部の上部には、把持部が設けられ、棒の上端には、棒を押し下げるためのボタン部が取り付けられていることを特徴とする請求項１〜６の何れかに記載されたボール収容具。
【請求項８】
バネＫとバネ押え（Ｋ２）が、一体に形成されてなることを特徴とする請求項１〜７の何れかに記載されたボール収容具。
【考案の詳細な説明】
【技術分野】
【０００１】
本考案は、卓球など球技において、室内練習場や運動場等において散乱した球を立ったままで効率よく多数集めて収容することが出来るボール収容具に関する。
【背景技術】
【０００２】
卓球など球技において、室内練習場や運動場等において散乱した球を多数集めて収容することが出来るボール収容具の従来技術としては、例えば、特許文献１が例示される。
【０００３】
考案者は、特許文献の欠点等を改善すべく鋭意研究して本考案を想到するに至った。
【先行技術文献】
【特許文献】
【０００４】
【特許文献１】登録実用新案第３１６７２２２号公報
【考案の概要】
【考案が解決しようとする課題】
【０００５】
○本考案が解決しようとする課題
本考案が解決しようとする第１課題は、卓球など球技において、室内練習場や運動場等において散乱したボールを立ったままで効率よく多数集めて収容することが出来るボール収容具を提供することである。
本考案が解決しようとする第２課題は、収容部に収容したボールを別の場所に瞬時に落下させて収容することができるボール収容具を提供することである。
本考案が解決しようとする第３課題は、収容部に手を突っ込んで収容したボールを取り出すことができるボール収容具を提供することである。
本考案が解決しようとする第４課題は、収容部に収容したボールの状態が一目瞭然に把握できることができるボール収容具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○ボール収容具とは、収容部、中空状の杖部、バネ（Ｋ）、バネ押え（Ｋ１）、バネ押え（Ｋ２）、棒、紐からなる、卓球など球技において、室内練習場や運動場等において散乱したボールを収容する道具である。
○収容部とは、散乱したボールを収容する部材である。
○杖部とは、散乱したボールを立ったままで効率よく多数集めるために、手で持つ部分（把持部ＳＨ）を有し、収容部と杖部は（結合具により）一体に結合され、棒は中空状の杖部の中に挿入されている。
○バネ（Ｋ）とは、バネ押え（Ｋ１）とバネ押え（Ｋ２）の間に設置されてなり、バネ力により、紐（Ｓ１）〜紐（Ｓｎ）の隣同士の距離がボール直径より狭くなるように張られているべく、紐（Ｓ１）、紐（Ｓ２）…紐（Ｓｎ）に張力を与えるものである。
○バネ押え（Ｋ１）とは、バネ（Ｋ）を押えるための部材であり、バネ押え（Ｋ１）は、棒の外側に取付けられ、バネ（Ｋ）により、棒に上向きの力を与える。
○バネ押え（Ｋ２）とは、バネ（Ｋ）を押えるための部材であり、バネ押え（Ｋ２）は、杖の内側に取付けられてバネ（Ｋ）により、与えられる下向きの力を受ける部材である。
○棒とは、バネ（Ｋ）の力を、紐（紐（Ｓ１）〜紐（Ｓｎ））に張力を与える部材である。
○紐とは、散乱したボールを効率よく収容するために必要な構成部材であり、使用時には常にバネ（Ｋ）により張力が付与されている。
紐は、紐（Ｓ１）〜紐（Ｓｎ）のｎ本から構成されている。（ここに、ｎ＝１、２…）
紐（Ｓｉ）は、紐穴（Ｐ１）、紐穴（Ｑ１）、紐穴（Ｑ２）、紐穴（Ｐ２）に通されて、紐Ｓｉの両端側は紐穴（Ｐ１）と紐穴（Ｐ２）に通され、棒の下端に接続される（ここに、ｉ＝１、２、…ｎ）。紐（Ｓｉ）は、往復の一対の紐（Ｓｉ）から構成され、往の紐は、紐穴（Ｐ１）と紐穴（Ｑ１）とを直線的に結ぶ紐（Ｓｉ）である。復の紐は、紐穴（Ｐ２）と紐穴（Ｑ２）とを直線的に結ぶ紐（Ｓｉ）である。
単に、紐（Ｓ１）〜紐（Ｓｎ）という場合、紐（Ｓ１）〜紐（Ｓｎ）には、それぞれ往復一対の紐（Ｓ１）〜紐（Ｓｎ）を含むものとする。
○紐（Ｓ１）、紐（Ｓ２）…紐（Ｓｎ）は、相互に平行になるように、それぞれ、紐穴（Ｐ１）、紐穴（Ｑ１）、紐穴（Ｑ２）、紐穴（Ｐ２）に通されて、紐（Ｓ１）、紐（Ｓ２）…紐（Ｓｎ）のそれぞれの両端側は紐穴（Ｐ１）と紐穴（Ｐ２）に通され、棒の下端に接続されて、バネ力により、紐（Ｓ１）、紐（Ｓ２）…紐（Ｓｎ）の隣同士の距離がボール直径より狭くなるように張られている。
○紐穴は、テニスのラケットに紐を張る場合と同様、紐を張るために必要な、対になったｎ組の穴であって、収容部の下部のフレーム部に設けられている。フレーム部の上側には紐穴（Ｐ１）と紐穴（Ｐ２）がｎ組設けられている。フレーム部の下側には紐穴（Ｑ１）と紐穴（Ｑ２）がｎ組設けられている。収容部の下部のフレーム部の上下には、紐穴（Ｐ１）と紐穴（Ｐ２）、紐穴（Ｑ１）と紐穴（Ｑ２）が相対応してｎ組設けられている。
○開口部とは、収容部の底面が口（ボール取入口、ボール排出口）になって、外部へ向かって開いている部分をいう。
○フレーム部とは、収容部の下部の外枠部であり、フレーム部には、紐穴（Ｐ１）と紐穴（Ｐ２）、紐穴（Ｑ１）と紐穴（Ｑ２）とが相対応してｎ組設けられている。
○請求項１において、○○○は×××に取り付けられとあるのは、○○○は×××に固定されるように取り付けられの意味である。
＜記号の説明＞
○ｎは、紐の数である。
○紐Ｓは、紐Ｓ（１）  〜紐Ｓ（ｎ）から構成され、紐Ｓ（１）  〜紐Ｓ（ｎ）は、Ｑ（１）、Ｑ（２）、…Ｑ（ｎ）と同義である。
○紐Ｓｉは、紐Ｓ（１）  〜紐Ｓ（ｎ）の中の任意の紐Ｓを表し、ｉは任意の自然数を表す。ここに、ｉ＝１、２、…ｎ
任意の紐Ｓｉは、往の紐Ｓｉと復の紐Ｓｉの１対の紐からなっている。
○紐穴は、フレーム部の上側に紐穴Ｐ１、紐穴Ｐ２の一対の紐穴がｎ組あり、フレーム部の下側に紐穴Ｑ１、紐穴Ｑ２の一対の紐がｎ組あり、合計４ｎ個ある。ここに、ｎは紐の数。
○紐穴Ｐ１、紐穴Ｐ２は、フレーム部の上側に設けられた紐穴であり、それぞれ、往の紐Ｓｉを通す紐穴、復の紐Ｓｉを通す紐穴である。ここに、ｉ＝１、２、…ｎ
○紐穴 Ｑ１、紐穴Ｑ２は、フレーム部の下側に設けられた紐穴であり、それぞれ、往の紐Ｓｉを通す紐穴、復の紐Ｓｉを通す紐穴である。ここに、ｉ＝１、２、…ｎ
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜課題を解決するための手段＞
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、収容部、中空状の杖部、バネ（Ｋ）、バネ押え（Ｋ１）、バネ押え（Ｋ２）、棒、及び、紐（Ｓ１）、紐（Ｓ２）…紐（Ｓｎ）からなるボール収容具において、収容部は底面が開口されて開口部を形成してなり、収容部の下部のフレーム部には、紐穴（Ｐ１）と紐穴（Ｐ２）、紐穴（Ｑ１）と紐穴（Ｑ２）が相対応してｎ組設けられており、紐（Ｓ１）、紐（Ｓ２）…紐（Ｓｎ）は、相互に平行になるように、紐穴（Ｐ１）、紐穴（Ｑ１）、紐穴（Ｑ２）、紐穴（Ｐ２）に通されて、収容部と杖部は一体に結合され、棒は中空状の杖部の中に挿入されてなり、バネ押え（Ｋ１）は棒の外側に取付けられ、バネ押え（Ｋ２）は杖部の内側に取付けられ、バネ（Ｋ）は、バネ押え（Ｋ１）とバネ押え（Ｋ２）の間に設置されてなり、紐（Ｓ１）、紐（Ｓ２）…紐（Ｓｎ）のそれぞれの両端側は紐穴（Ｐ１）と紐穴（Ｐ２）に通され、棒の下端に接続されて、バネ力により、紐（Ｓ１）、紐（Ｓ２）…紐（Ｓｎ）の隣同士の距離がボール直径より狭くなるように張られていることを特徴とするボール収容具である。
○第２の考案（請求項２に記載の考案）
上記の課題を解決するための第２の考案（請求項２に記載の考案）は、バネ押え（Ｋ２）を下方に押し下げることによって棒を下方に動かして、バネ（Ｋ）で与えられていた紐（Ｓ１）〜紐（Ｓｎ）を緩めて収容したボールを取り入れ口から排出することを特徴とする請求項１に記載されたボール収容具である。
○第３の考案（請求項３に記載の考案）
上記の課題を解決するための第３の考案（請求項３に記載の考案）は、収容部は上面が開口されて開口部を形成してなり、収容部は上面部にボール通過用に開口された網が設置されていることを特徴とする請求項１〜２の何れかに記載されたボール収容具である。
○第４の考案（請求項４に記載の考案）
上記の課題を解決するための第４の考案（請求項４に記載の考案）は、収容部が透明体からなることを特徴とする請求項１〜３の何れかに記載されたボール収容具である。
○第５の考案（請求項５に記載の考案）
上記の課題を解決するための第５の考案（請求項５に記載の考案）は、ｎ＝２であることを特徴とする請求項１〜４の何れかに記載されたボール収容具である。
○第６の考案（請求項６に記載の考案）
上記の課題を解決するための第６の考案（請求項６に記載の考案）は紐Ｓ１〜紐Ｓｎのそれぞれの両端側は紐穴Ｐ１と紐穴Ｐ２に通され、棒Ｂの下端に、接続具９を介して接続されてなることを特徴とする請求項１〜５の何れかに記載されたボール収容具である。
○第７の考案（請求項７に記載の考案）
上記の課題を解決するための第７の考案（請求項７に記載の考案）は、杖部の上部には、把持部が設けられ、棒の上端には、棒を押し下げるためのボタン部が取り付けられていることを特徴とする請求項１〜６の何れかに記載されたボール収容具である。
○第８の考案（請求項８に記載の考案）
上記の課題を解決するための第８の考案（請求項８に記載の考案）は、バネＫとバネ押え（Ｋ２）が、一体に形成されてなることを特徴とする請求項１〜７の何れかに記載されたボール収容具である。
【考案の効果】
【０００７】
本考案に係る考案は、上記のような特徴的構成要件から構成され、上記のような特徴的構成要件から構成されたボール収容具によって、本願考案の課題を十分解消することができた。
●第１の考案の効果
第１の考案によれば、第１の考案の特徴的構成要件により、本考案が解決しようとする第１課題を達成することができた。
すなわち、卓球など球技において、室内練習場や運動場等において散乱した球を立ったままで効率よく多数集めて収容することが出来るボール収容具を提供することができ、当業者予測不可能な顕著な効果を奏することができた。
●第２の考案の効果
第２の考案によれば、第２の考案の特徴的構成要件により、本考案が解決しようとする第２課題を達成することができた。
すなわち、収容部に収容したボールを別の場所に瞬時に落下させて収容することができるボール収容具を提供することができ、当業者予測不可能な顕著な効果を奏することができた。
●第３の考案の効果
第３の考案によれば、第３の考案の特徴的構成要件により、本考案が解決しようとする第３課題を達成することができた。
すなわち、収容部に手を突っ込んで収容したボールを取り出すことができるボール収容具を提供することができ、当業者予測不可能な顕著な効果を奏することができた。
●第４の考案の効果
第４の考案によれば、第４の考案の特徴的構成要件により、本考案が解決しようとする第４課題を達成することができた。
すなわち、収容部に収容したボールの状態が一目瞭然に把握できることができるボール収容具を提供することができ、当業者予測不可能な顕著な効果を奏することができた。
●第５の考案の効果
第５の考案によれば、第５の考案の特徴的構成要件により、２ｎ＝２である場合の構成要件をより具体化することができ、当業者予測不可能な顕著な効果を奏することができた。
●第６の考案の効果
第６の考案によれば、第６の考案の特徴的構成要件により、紐（Ｓ１）、紐（Ｓ２）…紐（Ｓｎ）のそれぞれの両端側は紐穴（Ｑ１）と紐穴（Ｑ４）に通され、棒の下端に、接続具を介して接続されてなるという構成要件により、構成要件をより具体的化することができ、当業者予測不可能な顕著な効果を奏することができた。
●第７の考案の効果
第７の考案によれば、第７の考案の特徴的構成要件により、収容部に収容したボールが不用意に外に転がり出るのを防止するとともに収容部に手を突っ込んで収容したボールを取り出すことができるボール収容具を提供することができ、当業者予測不可能な顕著な効果を奏することができた。
●第８の考案の効果
第８の考案によれば、第８の考案の特徴的構成要件により、
バネＫとバネ押え（Ｋ２）が、一体に形成されてなることという特徴的な構成要件により、本考案が解決しようとする第１課題〜第４課題を達成することができ、当業者予測不可能な顕著な効果を奏することができた。
【考案を実施するための最良の形態】
【０００８】
以下、本考案に係る、ボール収容具に関する最良の実施形態について、図面を参照しながら説明する。
図１は、ボール収容具の正面の右上から見た斜視図である。
図２（ａ）は、紐の本数がｎの場合の、ボール収容具の背面図である。
図２（ｂ）は、紐の本数がｎの場合の、ボール収容具の底面図である。
図３（ａ）は、紐の本数が２の場合の、ボール収容具の背面図である。
図３（ｂ）は、紐の本数が２の場合の、ボール収容具の底面図である。
図４は、ボール収容具の杖部の一部断面図である。
以下、本考案に係る、ボール収容具について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●収容部Ｈ、中空状の杖部Ｓｔ、バネＫ、バネ押えＫ１、バネ押えＫ２、棒Ｂ、及び、紐Ｓ１、紐Ｓ２…紐Ｓｎからなるボール収容具１００において、収容部Ｈは底面が開口されて開口部Ｏを形成してなり、収容部Ｈの下部のフレーム部Ｆには、紐穴Ｐ１と紐穴Ｐ２、紐穴Ｑ１と紐穴Ｑ２が相対応してｎ組設けられており、紐Ｓ１、紐Ｓ２…紐Ｓｎは、相互に平行になるように、紐穴Ｐ１、紐穴Ｑ１、紐穴Ｑ２、紐穴Ｐ２に通されて、収容部Ｈと杖部Ｓｔは一体に結合され、棒Ｂは中空状の杖部Ｓｔの中に挿入されてなり、バネ押えＫ１は棒Ｂの外側に取付けられ、バネ押えＫ２は杖部Ｓｔの内側に取付けられ、バネＫは、バネ押えＫ１とバネ押えＫ２の間に設置されてなり、紐Ｓ１、紐Ｓ２…紐Ｓｎのそれぞれの両端側は紐穴Ｐ１と紐穴Ｐ２に通され、棒Ｂの下端に接続されて、バネ力により、紐Ｓ１、紐Ｓ２…紐Ｓｎの隣同士の距離がボール直径より狭くなるように張られていることを特徴とするボール収容具１００が開示されている（図１、図２、図３、図４を参照）。
●上記の特徴的構成要件とすることにより、卓球など球技において、室内練習場や運動場等において散乱した球を立ったままで効率よく多数集めて収容することが出来るボール収容具を提供することができ、小学生や高齢者でも集球と排出が簡単に操作ができ、本考案が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、バネ押えＫ１を下方に押し下げることによって棒Ｂを下方に動かして、バネＫで与えられていた紐Ｓ１〜紐Ｓ２ｎを緩めて収容したボールを取り入れ口から排出することを特徴とするボール収容具１００が開示されている（図１、図２、図３、図４を参照）。
●（ボタン部ＫＢを下に押して、）バネ押えＫ２を下方に押し下げることによって棒Ｂを下方に動かして、バネＫで与えられていた紐Ｓ１〜紐Ｓ２ｎを緩めて収容したボールを取り入れ口から排出するという特徴的な構成要件により、本考案が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、収容部Ｈは上面が開口されて開口部Ｏを形成してなり、収容部Ｈは上面部にボール通過用に開口された網Ｎが設置されていることを特徴とするボール収容具１００が開示されている（図１、図２、図３、図４を参照）。
●収容部Ｈは上面が開口されて開口部Ｏを形成してなり、収容部Ｈは上面部にボール通過用に開口された網が設置されていることという特徴的な構成要件により、多数のボールを順次収容可能で、本考案が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、収容部Ｈが透明体からなることを特徴とする請求項１〜３の何れかに記載されたボール収容具１００が開示されている。
●収容部Ｈが透明体からなることという特徴的な構成要件により、ボールの収容数を視認可能であり、本考案が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、ｎ＝２であることを特徴とするボール収容具１００が開示されている（図１、図２、図３、図４を参照）。
●２ｎ＝２である場合の具体的構成要件を明確化することより、本考案が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、紐Ｓ１、紐Ｓ２…紐Ｓｎのそれぞれの両端側は紐穴Ｑ１と紐穴Ｑ４に通され、棒Ｂの下端に、接続具９を介して接続されてなることを特徴とするボール収容具１００が開示されている（図１、図２、図３、図４を参照）。
●紐Ｓ１と紐Ｓ２ｎ他端側は紐穴Ｑ１と紐穴Ｑ２ｎに通され、棒Ｂの下端に、接続具９を介して接続されてなることという特徴的な構成要件により、本考案が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、杖部Ｓｔの上部には、把持部ＳＨが設けられ、棒Ｂの上端には、棒Ｂを押し下げるためのボタン部ＫＢが取り付けられていることを特徴とする請求項１〜６の何れかに記載されたボール収容具１００が開示されている（図１、図２、図３、図４を参照）。
●杖部Ｓｔの上部には、把持部ＳＨが設けられ、棒Ｂの上端には、棒Ｂを押し下げるためのボタン部ＫＢが取り付けられているという特徴的な構成要件により、片手でボールの収集と排出を行うことができ、本考案が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●上記のボール収容具１００において、収容部Ｈとバネ押えＫ２が、一体に形成されてなることを特徴とする請求項１〜７の何れかに記載されたボール収容具１００が開示されている（図１、図２、図３、図４を参照）。
●収容部Ｈとバネ押えＫ２が、一体に形成されてなることという特徴的な構成要件により、本考案が解決しようとする第１課題〜第４課題を達成することができ、当業者予測不可能な顕著な効果を奏することができた
＜ボール収容具の使用状態＞
ボール収容具１００の使用方法を以下説明する（図１、図２、図３、図４を参照）。
ボールＢＡＬＬを収容（集球）する時は、杖部Ｓｔ（杖部Ｓｔの把持部ＳＨ）を持って、ボールＢＡＬＬの上から収容部Ｈの底面部分を被せて軽く押さえるようにすると、ボールＢＡＬＬは収容部Ｈの紐Ｓ１、紐Ｓ２…紐Ｓｎの隣同士の間を通り収容部Ｈの上方内部へ移行しそこに保持収容（集球）される。
収容されたボールＢＡＬＬを排出する時は、バネ押えＫ１を下方に押し下げることによって棒Ｂを下方に動かして、バネＫで与えられていた紐Ｓ１、紐Ｓ２…紐Ｓｎを緩めて、緩んだ紐の間から収容したボールＢＡＬＬを取り入れ口から重力により落下・排出する。
収容したボールＢＡＬＬの排出が終了すると、下方に押し下げることによって棒Ｂを下方に動かしてバネ押えＫ１から手を離すことにより、バネ力により棒Ｂを上方に動かし、紐Ｓ１、紐Ｓ２…紐Ｓｎの隣同士の距離がボール直径より狭くなるように張られているべく、紐Ｓ１、紐Ｓ２…紐Ｓｎに張力が与えられる。
そして、ボールＢＡＬＬを収容（集球）する時は、杖部Ｓｔ（杖部Ｓｔの把持部ＳＨ）を持って、ボールＢＡＬＬの上から収容部Ｈの底面部分を被せて軽く押さえる様にすると、ボールＢＡＬＬは収容部Ｈの、紐Ｓ１、紐Ｓ２…紐Ｓｎの隣同士の間を通り収容部Ｈの上方内部へ移行しそこに保持収容（集球）される。
さらに、  収容されたボールを排出する時は、バネ押えＫ１を下方に押し下げることによって棒Ｂを下方に動かして、バネＫで与えられていた紐Ｓ１、紐Ｓ２…紐Ｓｎを緩めて、緩んだ紐の間から収容したボールＢＡＬＬを取り入れ口から重力により落下・排出する。
【図面の簡単な説明】
【０００９】
【図１】図１は、ボール収容具の正面の右上から見た斜視図である。
【図２】図２（ａ）は、紐の本数がｎの場合の、ボール収容具の背面図である。図２（ｂ）は、紐の本数がｎの場合の、ボール収容具の底面図である。
【図３】図３（ａ）は、紐の本数が２の場合の、ボール収容具の背面図である。図３（ｂ）は、紐の本数が２の場合の、ボール収容具の底面図である。
【図４】図４は、ボール収容具の杖部の一部断面図である。
【符号の説明】
【００１０】
１００……ボール収容具
Ｈ……収容部
Ｓｔ……杖部
ＳＨ……把持部
Ｋ……バネ
Ｋ１……バネ押え
ＫＢ……ボタン部
Ｂ……棒
Ｓ、Ｓ１、…Ｓｎ……紐
Ｏ……開口部
Ｆ……フレーム部
Ｐ１、Ｐ２……紐穴
Ｑ１、Ｑ２……紐穴
ＢＡＬＬ…ボール
Ｎ…網
【図１】
0003178447.tif 000003
【図２】
0003178447.tif 000004
【図３】
0003178447.tif 000005
【図４】
0003178447.tif 000006
【手続補正書】
【提出日】平成24年7月5日(2012.7.5)
【手続補正１】
【補正対象書類名】図面
【補正対象項目名】図４
【補正方法】変更
【補正の内容】
【図４】
0003178447.tif 000007